(57)【要約】      （修正有）【課題】第１の仕様を有する現像カートリッジが装着可能であり、第２の仕様を有する現像カートリッジが装着できなくすることができる画像形成装置およびドロワを提供する。【解決手段】ドロワ３０は画像形成装置に対して装着位置と引出位置との間を移動可能である。ドロワ３０は感光体ドラム８Ｋに対して軸方向に移動可能な清掃部材３１Ｋを備える。清掃部材３１Ｋは第１突起３２を有する。ドロワ３０に対して、ドロワ３０と異なる仕様の現像カートリッジ４Ｙが装着されたとき、清掃部材３１Ｋの第１突起３２は現像カートリッジ４Ｙと接触する。これにより現像カートリッジ４Ｙはドロワ３０に装着されない。ドロワ３０に対して、ドロワ３０に対応する特定の仕様の現像カートリッジが装着されたとき、清掃部材３１Ｋの第１突起３２は現像カートリッジの第１凹部５１に位置する。これにより現像カートリッジはドロワ３０に装着される。【選択図】図１５
2017116852.tif 000002
【特許請求の範囲】
【請求項１】
画像形成装置に対して装着された装着位置と、前記画像形成装置に対して引き出された引出位置との間を移動可能なドロワを有する画像形成装置であって、
前記ドロワは、
軸方向に延びる第１軸について回転可能な感光体ドラムであって、複数の前記感光体ドラムと、
前記複数の感光体ドラムの少なくとも１つの感光体ドラムに対して、前記軸方向に移動可能な可動部材であって、第１突起を有する可動部材と、
を有し、
前記ドロワに対して、前記ドロワと異なる仕様の現像カートリッジが装着された場合、前記第１突起が前記異なる仕様の現像カートリッジと接触し、前記異なる仕様の現像カートリッジは、前記ドロワに装着されず、
前記ドロワに対応する特定の仕様の現像カートリッジであって、第１凹部を有する現像カートリッジが、前記ドロワに対して装着された場合、前記第１突起が前記第１凹部に位置し、前記対応する特定の仕様の現像カートリッジが前記ドロワに装着されることを特徴とする、画像形成装置。
【請求項２】
前記可動部材は、前記軸方向について第１位置と、前記第１位置とは異なる第２位置との間を移動可能であり、
前記可動部材が前記第１位置に位置するときに、前記対応する特定の仕様の現像カートリッジが前記ドロワに装着され、
前記可動部材が前記第２位置に位置するときに、前記第１突起が前記対応する特定の仕様の現像カートリッジと接触し、前記対応する特定の仕様の現像カートリッジは前記ドロワに装着されないことを特徴とする、請求項１に記載の画像形成装置。
【請求項３】
前記ドロワは、前記軸方向に延びる帯電ワイヤーを有し、
前記可動部材は、前記帯電ワイヤーを清掃する清掃部材であることを特徴とする、請求項１または請求項２に記載の画像形成装置。
【請求項４】
前記可動部材は、さらに、前記清掃部材とともに移動可能な把持部を有し、
前記把持部は、前記第１突起を有することを特徴とする、請求項３に記載の画像形成装置。
【請求項５】
前記清掃部材は、前記軸方向について第１位置と、前記第１位置とは異なる第２位置との間を移動可能であり、
前記第１位置に位置するときに、前記帯電ワイヤーから離間し、
前記第２位置に位置するときに、前記帯電ワイヤーに接触することを特徴とする、請求項３または請求項４に記載の画像形成装置。
【請求項６】
前記対応する特定の仕様の現像カートリッジは、さらに、
前記軸方向に沿って延びる第２軸について回転可能な現像ローラと、
現像剤を収容可能な筐体と、
前記軸方向における前記筐体の一端部に位置し、前記軸方向に延びる第２突起と、
を有し、
前記ドロワは、第２凹部を有し、
前記ドロワに対して、前記対応する特定の仕様の現像カートリッジが装着された場合、前記第２突起が、前記第２凹部に位置し、前記対応する特定の仕様の現像カートリッジが前記ドロワに装着されることを特徴とする請求項１から請求項５のいずれか一項に記載の画像形成装置。
【請求項７】
前記現像ローラは、前記第２軸に沿って延びる現像ローラシャフトを備え、
前記対応する特定の仕様の現像カートリッジは、
前記現像ローラシャフトと共に回転可能な現像ローラギアであって、前記現像ローラシャフトに取り付けられた現像ローラギアと、
前記現像ローラギアと噛み合うカップリングギアであって、駆動力を受けることが可能なカップリング部を有するカップリングギアと、
前記カップリングギアの少なくとも一部を覆うギアカバーであって、前記筐体の前記一端部に位置するギアカバーと、
を有し、
前記ギアカバーは、前記第２突起を有することを特徴とする請求項６に記載の画像形成装置。
【請求項８】
軸方向に延びる第１軸について回転可能な感光体ドラムであって、複数の前記感光体ドラムと、
前記複数の感光体ドラムの少なくとも１つの感光体ドラムに対して、前記軸方向に動く可動部材であって、第１突起を有する可動部材と、
を有し、
第１現像カートリッジが装着された場合、前記第１突起が前記第１現像カートリッジと接触し、前記異なる仕様の現像カートリッジが装着されず、
対応する特定の仕様の現像カートリッジであって、第１凹部を有する現像カートリッジが装着された場合、前記第１突起が前記第１凹部に位置し、前記対応する特定の仕様の現像カートリッジが装着されることを特徴とする、ドロワ。
【請求項９】
前記可動部材は、前記軸方向について第１位置と、前記第１位置とは異なる第２位置との間を動くことが可能であり、
前記可動部材が前記第１位置に位置するときに、前記対応する特定の仕様の現像カートリッジが装着され、
前記可動部材が前記第２位置に位置するときに、前記第１突起が前記対応する特定の仕様の現像カートリッジと接触し、前記対応する特定の仕様の現像カートリッジが前記ドロワに装着されないことを特徴とする、請求項８に記載のドロワ。
【請求項１０】
前記軸方向に延びる帯電ワイヤーを、さらに有し、
前記可動部材は、前記帯電ワイヤーを清掃する清掃部材であることを特徴とする、請求項８または請求項９に記載のドロワ。
【請求項１１】
前記可動部材は、さらに、前記清掃部材と共に動くことが可能な把持部を有し、
前記把持部は、前記第１突起を有することを特徴とする、請求項１０に記載のドロワ。
【請求項１２】
前記清掃部材は、前記軸方向について第１位置と、前記第１位置とは異なる第２位置との間を移動可能であり、
前記第１位置に位置するときに、前記帯電ワイヤーから離間し、
前記第２位置に位置するときに、前記帯電ワイヤーに接触することを特徴とする、請求項１０または請求項１１に記載のドロワ。
【発明の詳細な説明】
【技術分野】
【０００１】
本発明は、画像形成装置およびドロワに関する。
【背景技術】
【０００２】
従来、画像形成装置本体に対して移動可能なドロワが知られている。ドロワには、複数の現像カートリッジが装着可能である。
【０００３】
例えば、ドロワは、複数の感光体を備える感光体ユニットである。感光体ユニットは、複数の現像カートリッジが着脱可能である。なお、１つの現像カートリッジは、１つの感光体に対応する（下記特許文献１参照。）。
【先行技術文献】
【特許文献】
【０００４】
【特許文献１】特開２０１１−５９５１０号公報
【発明の概要】
【発明が解決しようとする課題】
【０００５】
特許文献１に記載の感光体ユニットにおいて、装着可能な現像カートリッジの仕様が定められている場合がある。この場合、例えば、第１の仕様の感光体ユニットには、第１の仕様の現像カートリッジが装着可能であり、一方で、第２の仕様の現像カートリッジは、第１の仕様の感光体ユニットに装着できないことが望まれる。
【０００６】
そこで、本開示の目的は、第１の仕様を有するドロワに、第１の仕様を有する現像カートリッジが装着可能であり、第２の仕様を有する現像カートリッジが装着できなくすることができる画像形成装置およびドロワを提供することにある。
【課題を解決するための手段】
【０００７】
（１）本発明の画像形成装置は、画像形成装置に対して装着された装着位置と、画像形成装置に対して引き出された引出位置との間を移動可能なドロワを有する画像形成装置である。ドロワは、軸方向に延びる第１軸について回転可能な感光体ドラムであって、複数の感光体ドラムと、複数の感光体ドラムの少なくとも１つの感光体ドラムに対して、軸方向に移動可能な可動部材であって、第１突起を有する可動部材と、を有する。ドロワに対して、ドロワと異なる仕様の現像カートリッジが装着された場合、第１突起が異なる仕様の現像カートリッジと接触し、異なる仕様の現像カートリッジは、ドロワに装着されない。ドロワに対応する特定の仕様の現像カートリッジであって、第１凹部を有する現像カートリッジが、ドロワに対して装着された場合、第１突起が第１凹部に位置し、対応する特定の仕様の現像カートリッジがドロワに装着される。
【０００８】
このような構成によれば、ドロワと異なる仕様の現像カートリッジは、可動部材の第１突起との接触により、ドロワに装着されない。
【０００９】
一方、ドロワに対応する仕様の現像カートリッジは、可動部材の第１突起が第１凹部に位置することにより、ドロワに装着される。
【００１０】
その結果、ドロワと異なる仕様の現像カートリッジがドロワに装着されることを避けて、ドロワに対応する特定の仕様を有する現像カートリッジを、確実にドロワに装着することができる。
（２）可動部材は、軸方向について第１位置と、第１位置とは異なる第２位置との間を移動可能であってもよい。この場合、可動部材が第１位置に位置するときに、対応する特定の仕様の現像カートリッジがドロワに装着され、可動部材が第２位置に位置するときに、第１突起が対応する特定の仕様の現像カートリッジと接触し、対応する特定の仕様の現像カートリッジはドロワに装着されなくてもよい。
（３）ドロワは、軸方向に延びる帯電ワイヤーを有してもよい。可動部材は、帯電ワイヤーを清掃する清掃部材であってもよい。
（４）可動部材は、さらに、清掃部材とともに移動可能な把持部を有してもよい。把持部は、第１突起を有してもよい。
（５）清掃部材は、第１位置に位置するときに、帯電ワイヤーから離間し、第２位置に位置するときに、帯電ワイヤーに接触してもよい。
（６）対応する特定の仕様の現像カートリッジは、さらに、軸方向に沿って延びる第２軸について回転可能な現像ローラと、現像剤を収容可能な筐体と、軸方向における筐体の一端部に位置し、軸方向に延びる第２突起と、を有してもよい。ドロワは、第２凹部を有してもよい。ドロワに対して、対応する特定の仕様の現像カートリッジが装着された場合、第２突起が、第２凹部に位置し、対応する特定の仕様の現像カートリッジがドロワに装着されてもよい。
（７）現像ローラは、第２軸に沿って延びる現像ローラシャフトを備えてもよい。対応する特定の仕様の現像カートリッジは、現像ローラシャフトと共に回転可能な現像ローラギアであって、現像ローラシャフトに取り付けられた現像ローラギアと、現像ローラギアと噛み合うカップリングギアであって、駆動力を受けることが可能なカップリング部を有するカップリングギアと、カップリングギアの少なくとも一部を覆うギアカバーであって、筐体の一端部に位置するギアカバーと、を有してもよい。ギアカバーは、第２突起を有してもよい。
（８）本発明のドロワは、軸方向に延びる第１軸について回転可能な感光体ドラムであって、複数の前記感光体ドラムと、複数の感光体ドラムの少なくとも１つの感光体ドラムに対して、軸方向に動く可動部材であって、第１突起を有する可動部材と、を有する。本発明のドロワは、第１現像カートリッジが装着された場合、第１突起が第１現像カートリッジと接触し、異なる仕様の現像カートリッジが装着されず、対応する特定の仕様の現像カートリッジであって、第１凹部を有する現像カートリッジが装着された場合、第１突起が第１凹部に位置し、対応する特定の仕様の現像カートリッジが装着される。
【発明の効果】
【００１１】
本発明の画像形成装置およびドロワは、第１の仕様を有するドロワに、第１の仕様を有する現像カートリッジが装着可能であり、第２の仕様を有する現像カートリッジが装着できなくすることができる。
【図面の簡単な説明】
【００１２】
【図１】図１は、画像形成装置の一実施形態を示す中央断面図である。
【図２】図２は、第１の仕様のドロワを示す斜視図である。
【図３】図３Ａは、図２に示すドロワの断面図であって、第１側板の溝を通る断面図である。図３Ｂは、図２に示すドロワの中央断面図である。
【図４】図４は、図２に示す清掃部材の拡大図である。
【図５】図５は、図３Ｂに示す第１帯電器の拡大図である。
【図６】図６は、第１の仕様の現像カートリッジを示す側面図であって、軸方向の一方側から見た側面図である。
【図７】図７は、第２の仕様のドロワを示す斜視図である。
【図８】図８は、図７に示すドロワの中央断面図である。
【図９】図９Ａは、図７に示す可動部材の拡大図であって、第１位置に位置する可動部材を示す。図９Ｂは、図７に示す可動部材の拡大図であって、第２位置に位置する可動部材を示す。
【図１０】図１０は、図８に示す第１帯電器の拡大図である。
【図１１】図１１は、第２の仕様の現像カートリッジを示す側面図であって、軸方向の一方側から見た側面図である。
【図１２】図１２は、第２の仕様の現像カートリッジを示す側面図であって、引き出し方向の一方側から見た側面図である。
【図１３】図１３は、第２の仕様のドロワに対する第２の仕様の現像カートリッジの装着を説明する説明図であって、第１突起が第１凹部に位置する状態を示す。
【図１４】図１４は、第２の仕様のドロワに対する第２の仕様の現像カートリッジの装着を説明する説明図であって、第２突起が第２凹部に位置する状態を示す。
【図１５】図１５は、第２の仕様のドロワに対する第１の仕様の現像カートリッジの装着を説明する説明図であって、第１突起が第１の仕様の現像カートリッジに接触する状態を示す。
【図１６】図１６は、第１の仕様のドロワに対する第２の仕様の現像カートリッジの装着を説明する説明図であって、第２突起が第２の仕様のドロワに接触する状態を示す。
【発明を実施するための形態】
【００１３】
１．画像形成装置１の概略
図１を参照して、画像形成装置１の概略について説明する。
【００１４】
画像形成装置１は、ドロワ３と、複数の現像カートリッジとを備える。具体的には、複数の現像カートリッジは、現像カートリッジ４Ｋ、現像カートリッジ４Ｙ、現像カートリッジ４Ｍ、および、現像カートリッジ４Ｃである。
【００１５】
１．１  ドロワ３
ドロワ３は、特定の仕様、具体的には、第１の仕様を有する。ドロワ３は、第１の仕様を有する現像カートリッジが装着可能なドロワである。ドロワ３は、現像カートリッジ４Ｋ、現像カートリッジ４Ｙ、現像カートリッジ４Ｍおよび現像カートリッジ４Ｃが装着可能なドロワである。現像カートリッジ４Ｋ、現像カートリッジ４Ｙ、現像カートリッジ４Ｍおよび現像カートリッジ４Ｃは、ドロワ３に対応する特定の仕様、すなわち第１の仕様を有する現像カートリッジである。
【００１６】
ドロワ３は、画像形成装置１に対して、引き出し方向に移動可能である。具体的には、ドロワ３は、画像形成装置１に対して、装着位置と、引出位置との間を移動可能である。装着位置とは、ドロワ３が画像形成装置１に装着された位置である。ドロワ３が画像形成装置１に装着されるとは、ドロワ３が画像形成装置１内に収容されることである。引出位置とは、ドロワ３が画像形成装置１から引き出された位置である。ドロワ３が画像形成装置１に対して引き出されたとは、ドロワ３が画像形成装置１外へ引き出され、現像カートリッジ４Ｋ、現像カートリッジ４Ｙ、現像カートリッジ４Ｍおよび現像カートリッジ４Ｃのそれぞれがドロワ３に対して着脱可能となることである。ドロワ３は、複数の感光体ドラムを備える。具体的には、複数の感光体ドラムは、感光体ドラム８Ｋ、感光体ドラム８Ｙ、感光体ドラム８Ｍおよび感光体ドラム８Ｃである。
【００１７】
感光体ドラム８Ｋ、感光体ドラム８Ｙ、感光体ドラム８Ｍおよび感光体ドラム８Ｃは、引き出し方向に並んでいる。感光体ドラム８Ｋ、感光体ドラム８Ｙ、感光体ドラム８Ｍおよび感光体ドラム８Ｃは、それぞれ、引き出し方向において、互いに間隔を隔てている。また、感光体ドラム８Ｋ、感光体ドラム８Ｙ、感光体ドラム８Ｍおよび感光体ドラム８Ｃは、互いに同様の構造である。感光体ドラム８Ｋは、軸方向に延びる第１ドラム軸Ａ１について回転可能である。感光体ドラム８Ｙは、軸方向に延びる第２ドラム軸Ａ２について回転可能である。感光体ドラム８Ｍは、軸方向に延びる第３ドラム軸Ａ３について回転可能である。感光体ドラム８Ｃは、軸方向に延びる第４ドラム軸Ａ４について回転可能である。第１ドラム軸Ａ１、第２ドラム軸Ａ２、第３ドラム軸Ａ３および第４ドラム軸Ａ４は、それぞれ、第１軸の一例である。
【００１８】
１．２  現像カートリッジ
現像カートリッジ４Ｋ、現像カートリッジ４Ｙ、現像カートリッジ４Ｍおよび現像カートリッジ４Ｃは、引き出し方向に並んでいる。現像カートリッジ４Ｋ、現像カートリッジ４Ｙ、現像カートリッジ４Ｍおよび現像カートリッジ４Ｃは、それぞれ、引き出し方向において、互いに間隔を隔てている。現像カートリッジ４Ｋ、現像カートリッジ４Ｙ、現像カートリッジ４Ｍおよび現像カートリッジ４Ｃは、収容される現像剤の色が異なる以外、同じ構造を有する。現像剤は、例えば、粉状のトナーである。現像カートリッジ４Ｋは、ブラックの現像剤を収容する。現像カートリッジ４Ｙは、イエローの現像剤を収容する。現像カートリッジ４Ｍは、マゼンタの現像剤を収容する。現像カートリッジ４Ｃは、シアンの現像剤を収容する。現像カートリッジ４Ｋは、感光体ドラム８Ｋに対して、後述する搬送ベルト５の反対側に位置する。現像カートリッジ４Ｙは、感光体ドラム８Ｙに対して、後述する搬送ベルト５の反対側に位置する。現像カートリッジ４Ｍは、感光体ドラム８Ｍに対して、後述する搬送ベルト５の反対側に位置する。現像カートリッジ４Ｃは、感光体ドラム８Ｃに対して、後述する搬送ベルト５の反対側に位置する。現像カートリッジ４Ｋは、感光体ドラム８Ｋにブラックの現像剤を供給するための現像カートリッジである。現像カートリッジ４Ｙは、感光体ドラム８Ｙにイエローの現像剤を供給するための現像カートリッジである。現像カートリッジ４Ｍは、感光体ドラム８Ｍにマゼンタの現像剤を供給するための現像カートリッジである。現像カートリッジ４Ｃは、感光体ドラム８Ｃにシアンの現像剤を供給するための現像カートリッジである。
【００１９】
１．３  搬送ベルト５、露光装置６および定着器７
画像形成装置１は、さらに、搬送ベルト５、露光装置６および定着器７を備える。
【００２０】
１．３．１  搬送ベルト５
搬送ベルト５は、装置本体２の内側に位置する。搬送ベルト５は、引き出し方向において、用紙Ｐを一方から他方へ搬送するように構成される。
【００２１】
１．３．２  露光装置６
露光装置６は、装置本体２の内側に位置する。露光装置６は、装着位置に位置するドロワ３に対して、搬送ベルト５の反対側に位置する。露光装置６は、搬送ベルト５と間隔を隔てて位置する。露光装置６は、後述する感光体ドラム８を露光する。
【００２２】
１．３．３  定着器７
定着器７は、装置本体２の内側に位置する。定着器７は、搬送ベルト５による用紙Ｐの搬送方向において、搬送ベルト５の下流側に位置する。定着器７は、用紙Ｐに転写された現像剤像を、用紙Ｐに熱定着する。
【００２３】
２．第１の仕様のドロワ３
図２〜図５を参照して、ドロワ３について説明する。
【００２４】
図２に示すように、ドロワ３は、第１側板１１、第２側板１２、複数の帯電器、および、複数の清掃部材を備える。
【００２５】
２．１  第１側板１１および第２側板１２
第１側板１１と第２側板１２とは、軸方向において、互いに間隔を隔てて位置する。上記した感光体ドラム８Ｋ、感光体ドラム８Ｙ、感光体ドラム８Ｍおよび感光体ドラム８Ｃは、軸方向において、第１側板１１と第２側板１２との間に位置する。第１側板１１および第２側板１２は、それぞれ、引き出し方向に延びる。第１側板１１は、軸方向において第２側板１２に向かう内面を有する。また、第１側板１１は、軸方向において第２側板１２とは反対側に向かう外面を有する。第１側板１１は、複数の溝を有する。複数の溝は、溝１４Ｋ、溝１４Ｙ、溝１４Ｍおよび溝１４Ｃである。
【００２６】
２．１．１  溝
溝１４Ｋ、溝１４Ｙ、溝１４Ｍおよび溝１４Ｃは、引き出し方向において、互いに間隔を隔てて並んでいる。溝１４Ｋ、溝１４Ｙ、溝１４Ｍおよび溝１４Ｃのそれぞれは、第１側板１１の内面に位置する。具体的には、溝１４Ｋ、溝１４Ｙ、溝１４Ｍおよび溝１４Ｃのそれぞれは、軸方向において、第１側板１１の内面から外面へ向かって凹んでいる。溝１４Ｋは、現像カートリッジ４Ｋの現像ローラ２２を感光体ドラム８Ｋに接触する位置へ案内するための溝である。溝１４Ｙは、現像カートリッジ４Ｙの現像ローラ２２を感光体ドラム８Ｙに接触する位置へ案内するための溝である。溝１４Ｍは、現像カートリッジ４Ｍの現像ローラ２２を感光体ドラム８Ｍに接触する位置へ案内するための溝である。溝１４Ｃは、現像カートリッジ４Ｃの現像ローラ２２を感光体ドラム８Ｃに接触する位置へ案内するための溝である。溝１４Ｋ、溝１４Ｙ、溝１４Ｍおよび溝１４Ｃは、互いに同様の構造である。以下の説明では、溝１４Ｋについて詳細に説明し、溝１４Ｙ、溝１４Ｍおよび溝１４Ｃについては、説明を省略する。
【００２７】
図３Ａに示すように、溝１４Ｋは、ドロワ３に対する現像カートリッジ４Ｋの挿入方向に延びている。挿入方向は、軸方向と直交し、かつ、引き出し方向と交差する方向である。溝１４Ｋは、挿入方向において、感光体ドラム８Ｋの近くに位置する一端部と、一端部よりも感光体ドラム８Ｋから離れて位置する他端部とを有する。溝１４Ｋは、第１面Ｓ１、第２面Ｓ２、および貫通穴１５（図２参照）を有する。
【００２８】
第１面Ｓ１および第２面Ｓ２は、それぞれ、引き出し方向における溝１４Ｋの内面である。第１面Ｓ１と第２面Ｓ２とは、引き出し方向において、互いに間隔を隔てている。第１面Ｓ１と第２面Ｓ２とは、引き出し方向において、互いに向かい合う。第１面Ｓ１は、引き出し方向において、第２面Ｓ２に対して、溝１４Ｙの反対側に位置する。第１面Ｓ１および第２面Ｓ２は、それぞれ、溝１４Ｋの一端部と他端部との間に延びる。第１面Ｓ１および第２面Ｓ２は、それぞれ、溝１４Ｋの他端部から一端部へ向かうにつれて、感光体ドラム８Ｋへ向かって傾斜している。現像カートリッジ４Ｋがドロワ３に装着されたときに、第１面Ｓ１と第２面Ｓ２との間には、後述するカップリングカラー２４Ａが、位置する。
【００２９】
図２に示すように、貫通穴１５は、引き出し方向において、第１面Ｓ１と第２面Ｓ２との間に位置する。貫通穴１５は、軸方向において、第１側板１１を貫通する。現像カートリッジ４Ｋがドロワ３に装着されたときに、後述するカップリングギア２６のカップリング部２８は、貫通穴１５から露出される。これにより、後述する画像形成装置１の駆動入力部は、第１側板１１の外側から、貫通穴１５を通って、カップリング部２８に係合可能である。
【００３０】
２．２  帯電器１３
図１に示すように、複数の帯電器は、帯電器１３Ｋ、帯電器１３Ｙ、帯電器１３Ｍおよび帯電器１３Ｃである。帯電器１３Ｋ、帯電器１３Ｙ、帯電器１３Ｍおよび帯電器１３Ｃは、引き出し方向において、互いに間隔を隔てて並んでいる。帯電器１３Ｋは、感光体ドラム８Ｋを帯電するための帯電器である。帯電器１３Ｙは、感光体ドラム８Ｙを帯電するための帯電器である。帯電器１３Ｍは、感光体ドラム８Ｍを帯電するための帯電器である。帯電器１３Ｃは、感光体ドラム８Ｃを帯電するための帯電器である。帯電器１３Ｋ、帯電器１３Ｙ、帯電器１３Ｍおよび帯電器１３Ｃは、互いに同様の構造である。以下の説明では、帯電器１３Ｋについて詳細に説明し、帯電器１３Ｙ、帯電器１３Ｍおよび帯電器１３Ｃについては、説明を省略する。
【００３１】
図３Ａに示すように、帯電器１３Ｋは、引き出し方向において、溝１４Ｋと溝１４Ｙの間に位置する。帯電器１３Ｋは、感光体ドラム８Ｋと、溝１４Ｙとの間に位置する。帯電器１３Ｋは、スコロトロン型の帯電器である。図４および図５に示すように、帯電器１３Ｋは、帯電ワイヤー１６およびフレーム１９を備える。
【００３２】
２．２．１  帯電ワイヤー１６
帯電ワイヤー１６は、軸方向に延びる。図５に示すように、帯電ワイヤー１６は、感光体ドラム８Ｋの径方向において、感光体ドラム８Ｋに対して間隔を隔てている。帯電ワイヤー１６は、フレーム１９内に位置する。
【００３３】
２．２．２  フレーム１９
フレーム１９は、帯電ワイヤー１６を支持する。フレーム１９は、軸方向に延びる。フレーム１９は、開口１９Ａを有する。開口１９Ａは、帯電ワイヤー１６に対して、感光体ドラム８Ｋの反対側に位置する。開口１９Ａは、フレーム１９を貫通する。開口１９Ａは、軸方向に延びる。
【００３４】
２．３  清掃部材
図２に示すように、複数の清掃部材は、清掃部材１７Ｋ、清掃部材１７Ｙ、清掃部材１７Ｍおよび清掃部材１７Ｃである。清掃部材１７Ｋは、帯電器１３Ｋの帯電ワイヤー１６を清掃するための清掃部材である。清掃部材１７Ｙは、帯電器１３Ｙの帯電ワイヤー１６を清掃するための清掃部材である。清掃部材１７Ｍは、帯電器１３Ｍの帯電ワイヤー１６を清掃するための清掃部材である。清掃部材１７Ｃは、帯電器１３Ｃ（図１参照）の帯電ワイヤー１６を清掃するための清掃部材である。帯電器１３Ｋ、帯電器１３Ｙ、帯電器１３Ｍおよび帯電器１３Ｃは、互いに同様の構造である。以下の説明では、帯電器１３Ｋについて詳細に説明し、帯電器１３Ｙ、帯電器１３Ｍおよび帯電器１３Ｃについては、説明を省略する。
【００３５】
図４および図５に示すように、清掃部材１７Ｋは、帯電器１３Ｋに取り付けられている。清掃部材１７Ｋは、把持部１８およびワイパー２０を有する。
【００３６】
把持部１８は、ユーザが清掃部材１７Ｋを操作するときに指で触るための部分である。把持部１８は、帯電器１３Ｋの帯電ワイヤー１６に対して、感光体ドラム８Ｋの反対側に位置する。把持部１８は、軸方向に延びる板状を有する。把持部１８は、フレーム１９に対して、軸方向に移動可能に取り付けられる。また、把持部１８は、感光体ドラム８Ｋに対して、軸方向に移動可能である。把持部１８は、複数、具体的には７つのリブ１８Ａと、クリップ１８Ｂとを有する。
【００３７】
７つのリブ１８Ａは、それぞれ、軸方向に互いに間隔を隔てて並ぶ。７つのリブ１８Ａのそれぞれは、帯電器１３Ｋの帯電ワイヤー１６から離れる方向へ向かって突出する。７つのリブ１８Ａのうち、軸方向において両端に位置する２つのリブ１８Ａは、それら以外のリブ１８Ａよりも突出する。７つのリブ１８Ａのそれぞれは、引き出し方向に延びる。７つのリブ１８Ａは、ユーザが清掃部材１７Ｋを操作するときに、滑り止めとして機能する。
【００３８】
クリップ１８Ｂは、帯電器１３Ｋの帯電ワイヤー１６に向かって突出する。クリップ１８Ｂは、開口１９Ａを通ってフレーム１９内に位置する。クリップ１８Ｂは、ワイパー２０を挟む。
【００３９】
ワイパー２０は、フレーム１９の内側に位置する。ワイパー２０は、例えば、ウレタンスポンジなどの材料からなる。ワイパー２０は、二つ折りの状態で、クリップ１８Ｂに挟まれている。これにより、ワイパー２０は、把持部１８とともに軸方向に移動可能である。帯電器１３Ｋの帯電ワイヤー１６は、二つ折りにされたワイパー２０の間に位置する。ワイパー２０は、帯電器１３Ｋの帯電ワイヤー１６の表面に接触する。これにより、ワイパー２０は、把持部１８の軸方向への移動に伴って、帯電器１３Ｋの帯電ワイヤー１６を拭くことができる。
【００４０】
３．第１の仕様の現像カートリッジ
図６を参照して、第１の仕様の現像カートリッジについて説明する。
【００４１】
現像カートリッジ４Ｋ、現像カートリッジ４Ｙ、現像カートリッジ４Ｍおよび現像カートリッジ４Ｃは、収容される現像剤の色が異なる以外、同じ構造を有する。以下の説明では、現像カートリッジ４Ｙについて詳細に説明し、現像カートリッジ４Ｋ、現像カートリッジ４Ｍおよび現像カートリッジ４Ｃについては、説明を省略する。
【００４２】
現像カートリッジ４Ｙは、筐体２１と、現像ローラ２２と、ギア列２３と、ギアカバー２４とを備える。
【００４３】
３．１  筐体２１
筐体２１は、現像剤を収容可能に構成される。筐体２１は、中空の角筒形状を有する。筐体２１は、軸方向に延びる。筐体２１は、図３Ｂに示すように、第１外面２１Ａと、第１外面２１Ａに対して間隔を隔てて位置する第２外面２１Ｂとを有する。筐体２１内には、アジテータ２９が設けられている。アジテータ２９は、第１外面２１Ａと第２外面２１Ｂとの間に位置する。アジテータ２９は、軸方向に延びる第３軸Ａ３０について回転可能である。アジテータ２９は、羽根２９Ａと、アジテータシャフト２９Ｂとを備える。アジテータシャフト２９Ｂは、第３軸Ａ３０に沿って延びる。羽根２９Ａは、アジテータシャフト２９Ｂからアジテータシャフト２９Ｂの径方向外側に向かって延びる。アジテータ２９は、筐体２１内を羽根２９Ａが回ることにより、筐体２１内のトナーを撹拌可能である。
【００４４】
３．２  現像ローラ２２
図６に示すように、現像ローラ２２は、筐体２１の一端部に位置する。現像ローラ２２は、軸方向に延びる。現像ローラ２２は、円柱形状を有する。現像ローラ２２の周面の一部は、筐体２１の外側に露出している。現像ローラ２２は、現像ローラシャフト２２Ａを備える。
【００４５】
現像ローラシャフト２２Ａは、現像ローラ２２の径方向において、現像ローラ２２の中央に位置する。現像ローラシャフト２２Ａは、軸方向に延びる。現像ローラシャフト２２Ａは、円柱形状を有する。現像ローラシャフト２２Ａは、金属からなる。現像ローラシャフト２２Ａは、筐体２１に、回転可能に支持される。これにより、現像ローラ２２は、軸方向に延びる第２軸Ａ２０について回転可能である。
【００４６】
３．３  ギア列２３
ギア列２３は、軸方向において、筐体２１の一方側の外面に位置する。ギア列２３は、現像カートリッジ４Ｙがドロワ３に装着されたときに、軸方向において、筐体２１と第１側板１１との間に位置する。ギア列２３は、現像ローラギア２５と、カップリングギア２６とを備える。
【００４７】
３．３．１  現像ローラギア２５
現像ローラギア２５は、軸方向において、現像ローラシャフト２２Ａの一端部に取り付けられる。これにより、現像ローラギア２５は、軸方向において、筐体２１の一方側の外面に位置する。なお、現像ローラシャフト２２Ａは、軸方向において、現像ローラギア２５を貫通する。現像ローラギア２５は、現像ローラシャフト２２Ａとともに回転可能である。現像ローラギア２５は、複数のギア歯を有する。複数のギア歯は、現像ローラギア２５の周面に設けられる。
【００４８】
３．３．２  カップリングギア２６
カップリングギア２６は、現像ローラシャフト２２Ａとアジテータシャフト２９Ｂとの間に位置する。カップリングギア２６は、軸方向において、筐体２１の一方側の外面に位置する。カップリングギア２６は、筐体２１の外面に回転可能に取り付けられる。カップリングギア２６は、軸方向に延びる。カップリングギア２６は、複数のギア歯を有する。複数のギア歯は、カップリングギア２６の周面に設けられる。カップリングギア２６は、現像ローラギア２５に噛み合う。カップリングギア２６は、カップリング部２８を有する。
【００４９】
カップリング部２８は、現像カートリッジ４Ｙが画像形成装置１の駆動入力部から駆動力を受けるための構成である。カップリング部２８は、軸方向において、カップリングギア２６の一端部に位置する。カップリング部２８は、凹部２８Ａと、２つの係合部２８Ｂとを有する。凹部２８Ａは、軸方向において、カップリング部２８の一端部から筐体２１に向かって凹む。２つの係合部２８Ｂは、凹部２８Ａ内に位置する。２つの係合部２８Ｂは、カップリング部２８の径方向において、互いに間隔を隔てて位置する。２つの係合部２８Ｂは、画像形成装置１がカップリング部２８に駆動を入力する駆動入力部を備える場合、画像形成装置１の駆動入力部に係合可能である。２つの係合部２８Ｂは、画像形成装置１の駆動入力部に係合することにより、画像形成装置１の駆動入力部から駆動力を受けることが可能となる。２つの係合部２８Ｂが、画像形成装置１の駆動入力部に係合し、駆動力を受けることにより、カップリングギア２６は、回転する。
【００５０】
３．４  ギアカバー２４
ギアカバー２４は、ギア列２３を覆っている。ギアカバー２４は、軸方向において、筐体２１の一方側の外面に位置する。ギアカバー２４は、筐体２１の一方側の外面に取り付けられている。ギアカバー２４は、カップリングカラー２４Ａを有する。
【００５１】
カップリングカラー２４Ａは、軸方向に延びる。カップリングカラー２４Ａには、カップリング部２８が、回転可能に嵌まる。すなわち、ギアカバー２４は、カップリングギア２６の少なくとも一部を覆う。なお、カップリングカラー２４Ａは、軸方向に見て、カップリング部２８を露出する。これにより、画像形成装置１の駆動入力部は、カップリング部２８に係合可能である。
【００５２】
４．ドロワ３に対する現像カートリッジ４Ｙの装着
次いで、図３Ａおよび図３Ｂを参照して、ドロワ３に対する現像カートリッジの装着について、現像カートリッジ４Ｙを例に挙げて説明する。
【００５３】
現像カートリッジ４Ｙとドロワ３とは、互いに、第１の仕様を有する。そのため、現像カートリッジ４Ｙは、ドロワ３に対して適正に装着される。なお、現像カートリッジ４Ｙがドロワ３に適正に装着されている状態とは、現像ローラ２２が感光体ドラム８Ｙに適正に接触している状態をいう。一方、現像カートリッジ４Ｙがドロワ３に適正に装着されていない状態とは、現像ローラ２２と感光体ドラム８Ｙとが適正に接触しない姿勢で、現像カートリッジ４Ｙがドロワ３に挿入されている状態をいう。
【００５４】
図３Ｂおよび図５に示すように、現像カートリッジ４Ｙがドロワ３に適正に装着されると、現像ローラ２２と感光体ドラム８Ｙとが適正に接触した状態で、現像カートリッジ４Ｙが、ドロワ３に対して位置決めされる。
【００５５】
現像カートリッジ４Ｙがドロワ３に対して位置決めされた状態で、現像カートリッジ４Ｙの第１外面２１Ａは、帯電器１３Ｋのフレーム１９に対して、間隔を隔てて向かい合う。また、清掃部材１７Ｋの把持部１８は、現像カートリッジ４Ｙの第１外面２１Ａと、帯電器１３Ｋのフレーム１９との間に位置する。また、清掃部材１７Ｋの７つのリブ１８Ａは、現像カートリッジ４Ｙの第１外面２１Ａに対して、間隔を隔てている。すなわち、現像カートリッジ４Ｙがドロワ３に適正に装着されると、現像カートリッジ４Ｙは、第１外面２１Ａが清掃部材１７Ｋの７つのリブ１８Ａに対して間隔を隔てるように、ドロワ３に対して位置決めされる。これにより、現像カートリッジ４Ｙの第１外面２１Ａは、清掃部材１７Ｋに接触せず、現像カートリッジ４Ｙは、ドロワ３に対する装着を清掃部材１７Ｋによって妨げられない。
【００５６】
また、図３Ａに示すように、現像カートリッジ４Ｙがドロワ３に対して位置決めされた状態で、カップリング部２８は、溝１４Ｙの第１面Ｓ１と第２面Ｓ２との間に位置する。カップリング部２８は、第１面Ｓ１および第２面Ｓ２に対して、間隔を隔てている。すなわち、カップリング部２８は、溝１４Ｙの第１面Ｓ１および第２面Ｓ２に接触せず、現像カートリッジ４Ｙは、ドロワ３に対する装着を溝１４Ｙによって妨げられない。
【００５７】
５．第２の仕様のドロワ３０
図７〜図１０を参照して、第２の仕様のドロワ３０について説明する。
【００５８】
ドロワ３０は、第１の仕様とは異なる特定の仕様、具体的には、第２の仕様を有する。ドロワ３０は、後述する現像カートリッジ４０Ｋ、現像カートリッジ４０Ｙ、現像カートリッジ４０Ｍおよび現像カートリッジ４０Ｃが装着可能なドロワである。現像カートリッジ４０Ｋ、現像カートリッジ４０Ｙ、現像カートリッジ４０Ｍおよび現像カートリッジ４０Ｃは、ドロワ３０に対応する特定の仕様、すなわち第２の仕様を有する現像カートリッジである。
【００５９】
図７および図８に示すように、ドロワ３０は、複数の可動部材の一例としての清掃部材を備えている。複数の清掃部材は、清掃部材３１Ｋ、清掃部材３１Ｙ、清掃部材３１Ｍおよび清掃部材３１Ｃである。清掃部材３１Ｋは、感光体ドラム８Ｋに対して軸方向に移動可能である。清掃部材３１Ｋは、帯電器１３Ｋの帯電ワイヤー１６を清掃するための清掃部材である。清掃部材３１Ｙは、感光体ドラム８Ｙに対して軸方向に移動可能である。清掃部材３１Ｙは、帯電器１３Ｙの帯電ワイヤー１６を清掃するための清掃部材である。清掃部材３１Ｍは、感光体ドラム８Ｍに対して軸方向に移動可能である。清掃部材３１Ｍは、帯電器１３Ｍの帯電ワイヤー１６を清掃するための清掃部材である。清掃部材３１Ｃは、感光体ドラム８Ｃに対して軸方向に移動可能である。清掃部材３１Ｃは、帯電器１３Ｃの帯電ワイヤー１６を清掃するための清掃部材である。清掃部材３１Ｋ、清掃部材３１Ｙ、清掃部材３１Ｍおよび清掃部材３１Ｃは、それぞれ、同じ構造を有する。以下の説明では、清掃部材３１Ｋについて詳細に説明し、清掃部材３１Ｙ、清掃部材３１Ｍおよび清掃部材３１Ｃについては、説明を省略する。
【００６０】
また、ドロワ３０は、第２凹部３３を有している。ドロワ３０は、清掃部材３１Ｋ、清掃部材３１Ｙ、清掃部材３１Ｍ、清掃部材３１Ｃおよび第２凹部３３を有する以外、ドロワ３と同様の構造を有する。
【００６１】
５．１  清掃部材３１Ｋ
図７に示すように、清掃部材３１Ｋは、軸方向において、第１位置と、第１位置とは異なる第２位置との間を移動可能である。第１位置は、図７に実線で示すように、清掃部材３１Ｋが最も第１側板１１の近くに位置する位置である。第２位置は、清掃部材３１Ｋが第１位置から第２側板１２に近づく方向に移動した位置である。具体的には、第２位置は、例えば、図７に仮想線で示すように、清掃部材３１Ｋが、軸方向において、ドロワ３０の中央に位置する位置である。清掃部材３１Ｋは、清掃部材１７Ｋと同様に、把持部１８およびワイパー２０を備える。把持部１８は、軸方向において、一端部と、一端部よりも第１側板１１から離れて位置する他端部とを有する。
【００６２】
なお、図９Ａおよび図９Ｂに示すように、ドロワ３０では、清掃部材３１Ｋが第１位置に位置するときに、クリップ１８Ｂが開き、清掃部材３１Ｋが第１位置から軸方向に移動するときに、クリップ１８Ｂが閉じるように構成されている。これにより、清掃部材３１Ｋが第１位置に位置するときに、ワイパー２０が帯電ワイヤー１６から離間し、清掃部材３１Ｋが第２位置に位置するときに、ワイパー２０が帯電ワイヤー１６に接触する。
【００６３】
５．２  第１突起３２
図９Ａおよび図１０に示すように、第１突起３２は、清掃部材３１Ｋに設けられる。第１突起３２は、第１の仕様の現像カートリッジ４Ｙがドロワ３０に適正に装着されることを防止するための突起である。第１突起３２は、軸方向において、把持部１８の他端部に位置する。第１突起３２は、把持部１８と一体的に構成される。すなわち、把持部１８は、第１突起３２を有する。第１突起３２は、感光体ドラム８Ｋの径方向に延びる。第１突起３２は、感光体ドラム８Ｋの径方向において、一端部３２Ａと、一端部３２Ａよりも感光体ドラム８Ｋから離れた他端部３２Ｂとを有する。他端部３２Ｂは、感光体ドラム８Ｋの径方向において、把持部１８のリブ１８Ａよりも、帯電器１３Ｋの帯電ワイヤー１６から離れて位置する。言い換えると、第１突起３２は、感光体ドラム８Ｋの径方向において、把持部１８のリブ１８Ａよりも、帯電器１３Ｋの帯電ワイヤー１６から離れる方向へ突出している。また、他端部３２Ｂは、図１３に示すように、感光体ドラム８Ｋの径方向において、把持部１８のリブ１８Ａよりも、現像カートリッジ４Ｙのアジテータシャフト２９Ｂの近くに位置する。言い換えると、第１突起３２は、感光体ドラム８Ｋの径方向において、把持部１８のリブ１８Ａよりも現像カートリッジ４Ｙのアジテータシャフト２９Ｂに向かって突出している。
【００６４】
なお、清掃部材３１Ｙおよび清掃部材３１Ｍは、それぞれ、清掃部材３１Ｋと同じ構造を有するので、清掃部材３１Ｋと同様の機能を有する。具体的には、清掃部材３１Ｙの第１突起３２は、第１の仕様の現像カートリッジ４Ｍがドロワ３０に適正に装着されることを防止する。また、清掃部材３１Ｍの第１突起３２は、第１の仕様の現像カートリッジ４Ｃがドロワ３０に適正に装着されることを防止する。
【００６５】
５．３  第２凹部３３
図７に示すように、溝１４Ｋ、溝１４Ｙ、溝１４Ｍおよび溝１４Ｃは、それぞれ、第２凹部３３を有する。溝１４Ｋ、溝１４Ｙ、溝１４Ｍおよび溝１４Ｃは、それぞれ、同じ構造を有する。以下の説明では、溝１４Ｙの第２凹部３３について詳細に説明し、溝１４Ｋの第２凹部３３、溝１４Ｍの第２凹部３３、および、溝１４Ｃの第２凹部３３については、説明を省略する。
【００６６】
図８および図１０に示すように、溝１４Ｙの第２凹部３３は、溝１４Ｙの第１面Ｓ１に設けられている。溝１４Ｙの第２凹部３３は、引き出し方向において、溝１４Ｙの第２面Ｓ２から離れる方向へ向かって凹んでいる。溝１４Ｙの第２凹部３３は、引き出し方向において、帯電器１３Ｋの第１突起３２に向かって凹んでいる。溝１４Ｙの第２凹部３３は、引き出し方向において、溝１４Ｙの貫通穴１５と、帯電器１３Ｋの第１突起３２との間に位置する。
【００６７】
６．第２の仕様の現像カートリッジ
図１１〜図１３を参照して、第２の仕様の現像カートリッジについて説明する。
【００６８】
現像カートリッジ４０Ｋ、現像カートリッジ４０Ｙ、現像カートリッジ４０Ｍおよび現像カートリッジ４０Ｃは、収容される現像剤の色が異なる以外、同じ構造を有する。以下の説明では、現像カートリッジ４０Ｙについて詳細に説明し、現像カートリッジ４０Ｋ、現像カートリッジ４０Ｍおよび現像カートリッジ４０Ｃについては、説明を省略する。
【００６９】
図１１および図１２に示すように、現像カートリッジ４０Ｙは、第１凹部５１と、第２突起５２とを有する。現像カートリッジ４０Ｙは、第１凹部５１および第２突起５２を有する以外、現像カートリッジ４Ｙと同様の構造を有する。
【００７０】
６．１  第１凹部５１
図１２に示すように、第１凹部５１は、軸方向において、現像カートリッジ４０Ｙの一端部に位置する。詳しくは、第１凹部５１は、軸方向において、筐体２１の一端部に位置する。第１凹部５１は、現像カートリッジ４０Ｙがドロワ３０に装着されるときに、第１位置に位置する清掃部材３１Ｋ（図７参照）に向かい合う。また、図１３に示すように、第１凹部５１は、筐体２１の第１外面２１Ａから第２外面２１Ｂに向かって凹む。また、第１凹部５１は、筐体２１の第１外面２１Ａからアジテータ２９に向かって凹む。第１凹部５１は、第１位置に位置する清掃部材３１Ｋの第１突起３２を受け入れ可能なサイズである。第１凹部５１は、第１位置に位置する清掃部材３１Ｋの第１突起３２を受け入れるための凹部である。
【００７１】
６．２  第２突起５２
図１１に示すように、第２突起５２は、ギアカバー２４に設けられている。第２突起５２は、現像ローラシャフト２２Ａとアジテータシャフト２９Ｂとの間に位置する。第２突起５２は、カップリングカラー２４Ａよりも第１外面２１Ａの近くに位置する。また、第２突起５２は、現像カートリッジ４０Ｙがドロワ３０に装着されたときに（図１４参照）、カップリングカラー２４Ａよりも溝１４Ｙの第１面Ｓ１の近くに位置する。第２突起５２は、カップリングカラー２４Ａと一体的に構成されている。図１２に示すように、第２突起５２は、軸方向において、ギアカバー２４から延びる。第２突起５２は、軸方向において、カップリングカラー２４Ａよりも短い。第２突起５２は、現像カートリッジ４０Ｙが、第１の仕様のドロワ３に適正に装着されることを防止するための突起である。
【００７２】
７．ドロワ３０に対する現像カートリッジの装着
次いで、図１３および図１４を参照して、ドロワ３０に対する現像カートリッジの装着について、現像カートリッジ４０Ｙを例に挙げて説明する。
【００７３】
現像カートリッジ４０Ｙとドロワ３０とは、互いに、第２の仕様を有する。そのため、現像カートリッジ４０Ｙは、ドロワ３０に適正に装着される。
【００７４】
図１３に示すように、現像カートリッジ４０Ｙがドロワ３０に適正に装着されると、現像ローラ２２と感光体ドラム８Ｙとが適正に接触した状態で、現像カートリッジ４０Ｙが、ドロワ３０に対して位置決めされる。なお、このとき、清掃部材３１Ｋは、第１位置に位置する。
【００７５】
現像カートリッジ４Ｙがドロワ３に対して位置決めされた状態で、また、現像カートリッジ４０Ｙの第１外面２１Ａは、帯電器１３Ｋのフレーム１９に対して、間隔を隔てて向かい合う。また、清掃部材３１Ｋの把持部１８は、現像カートリッジ４０Ｙの第１外面２１Ａと、帯電器１３Ｋのフレーム１９との間に位置する。また、清掃部材３１Ｋの７つのリブ１８Ａは、現像カートリッジ４０Ｙの第１外面２１Ａに対して、間隔を隔てている。すなわち、現像カートリッジ４０Ｙがドロワ３０に適正に装着されると、現像カートリッジ４０Ｙは、第１外面２１Ａが清掃部材３１Ｋの７つのリブ１８Ａに対して間隔を隔てるように、ドロワ３０に対して位置決めされる。
【００７６】
また、第１突起３２は、第１凹部５１に位置する。第１突起３２は、第１凹部５１の内面に対して、間隔を隔てている。すなわち、現像カートリッジ４０Ｙの筐体２１は、第１突起３２に接触しない。
【００７７】
これにより、現像カートリッジ４０Ｙの第１外面２１Ａは、清掃部材３１Ｋに接触せず、現像カートリッジ４０Ｙは、ドロワ３０に対する装着を清掃部材３１Ｋによって避けられることがない。
【００７８】
なお、図７に仮想線で示すように、清掃部材３１Ｋが第１位置に位置していないとき、具体的には、清掃部材３１Ｋが第２位置に位置するときには、第１突起３２は、軸方向において、第１凹部５１とは異なる位置に位置する。そのため、清掃部材３１Ｋが第２位置に位置するときに、現像カートリッジ４０Ｙがドロワ３０に装着されると、第１突起３２は、現像カートリッジ４０Ｙの第１外面２１Ａに接触する。これにより、清掃部材３１Ｋが第２位置に位置するときには、現像カートリッジ４０Ｙは、ドロワ３０に装着されない。すると、ユーザは、清掃部材３１Ｋが第２位置に位置していることに気付くことができ、清掃部材３１Ｋを第１位置に位置させた後、現像カートリッジ４０Ｙをドロワ３０に装着することができる。
【００７９】
また、図１４に示すように、現像カートリッジ４Ｙがドロワ３に対して位置決めされた状態で、第２突起５２は、溝１４Ｙの第２凹部３３に位置する。第２突起５２は、第２凹部３３の内面に対して、間隔を隔てている。すなわち、第２突起５２は、溝１４Ｙの第１面Ｓ１に接触しない。また、カップリング部２８は、第１面Ｓ１および第２面Ｓ２に対して、間隔を隔てている。すなわち、カップリング部２８も、溝１４Ｙの第１面Ｓ１および第２面Ｓ２に接触しない。そのため、現像カートリッジ４０Ｙは、ドロワ３０に対する装着を溝１４Ｙによって避けられることがない。
【００８０】
８．ドロワ３０に対する現像カートリッジ４Ｙの装着
図１５に示すように、第１の仕様の現像カートリッジ４Ｙが第２の仕様のドロワ３０に装着された場合、帯電器１３Ｋの第１突起３２が、現像カートリッジ４Ｙの第１外面２１Ａと接触する。すると、現像カートリッジ４Ｙは、現像ローラ２２と感光体ドラム８Ｙとが離れる姿勢となる。これにより、現像カートリッジ４Ｙは、現像ローラ２２と感光体ドラム８Ｙとが適正に接触しない姿勢で、ドロワ３０に挿入される。すなわち、第１突起３２は、ドロワ３０に対する現像カートリッジ４Ｙの適正な装着を防止する。これにより、現像カートリッジ４Ｙは、ドロワ３０に装着されない。
【００８１】
８．２  ドロワ３に対する現像カートリッジ４０Ｙの装着
図１６に示すように、第２の仕様の現像カートリッジ４０Ｙが第１の仕様のドロワ３に装着された場合、現像カートリッジ４０Ｙの第２突起５２が、ドロワ３の溝１４Ｙの第１面Ｓ１と接触する。すると、現像カートリッジ４０Ｙは、現像ローラ２２と感光体ドラム８Ｙとが離れる姿勢となる。これにより、現像カートリッジ４０Ｙは、現像ローラ２２と感光体ドラム８Ｙとが適正に接触しない姿勢で、ドロワ３に挿入される。すなわち、第２突起５２は、ドロワ３に対する現像カートリッジ４０Ｙの適正な装着を防止する。これにより、現像カートリッジ４０Ｙは、ドロワ３に装着されない。
【００８２】
９．作用効果
このドロワ３０、および、ドロワ３０を備える画像形成装置１によれば、図１５に示すように、第１の仕様の現像カートリッジ４Ｙは、清掃部材３１Ｋの第１突起３２との接触により、ドロワ３０に装着されない。
【００８３】
一方、図１３に示すように、第２の仕様の現像カートリッジ４０Ｙは、清掃部材３１Ｋの第１突起３２が第１凹部５１に位置することにより、ドロワ３０に装着される。
【００８４】
その結果、第１の仕様の現像カートリッジ４Ｙがドロワ３０に装着されることを避けて、第２の仕様を有する現像カートリッジ４０Ｙを、確実にドロワ３０に装着することができる。
【００８５】
また、図７に示すように、清掃部材３１Ｋは、軸方向において、第１位置（図７実線参照）と、第１位置とは異なる第２位置（図７仮想線参照）との間を移動可能である。
【００８６】
そして、清掃部材３１Ｋが第１位置に位置するときに、第１突起３２が第１凹部５１に受け入れられ、現像カートリッジ４０Ｙがドロワ３０に装着される。
【００８７】
一方、清掃部材３１Ｋが第２位置に位置するときには、第１突起３２は、軸方向において、第１凹部５１とは異なる位置に位置する。
【００８８】
そのため、清掃部材３１Ｋが第２位置に位置するときには、第１突起３２が現像カートリッジ４０Ｙの第１外面２１Ａに接触し、現像カートリッジ４０Ｙはドロワ３０に装着されない。
【００８９】
これにより、ユーザは、清掃部材３１Ｋが第２位置に位置していることに気付くことができる。
【００９０】
その結果、ユーザは、清掃部材３１Ｋを第１位置に位置させた後、現像カートリッジ４０Ｙをドロワ３０に装着することができる。
【００９１】
また、図７に示すように、清掃部材３１Ｋは、帯電ワイヤー１６を清掃する清掃部材である。
【００９２】
これにより、図１５に示すように、帯電ワイヤー１６を清掃する清掃部材を用いて、第１の仕様の現像カートリッジ４Ｙがドロワ３０に装着されることを規制することができる。
【００９３】
また、図９Ａに示すように、清掃部材３１Ｋの把持部１８が、第１突起３２を有する。
【００９４】
これにより、図１５に示すように、清掃部材３１Ｋの把持部１８を用いて、第１の仕様の現像カートリッジ４Ｙがドロワ３０に装着されることを避けることができる。
【００９５】
また、図９Ａに示すように、清掃部材３１Ｋが第１位置に位置するときに、クリップ１８Ｂが開くことにより、ワイパー２０が帯電ワイヤー１６から離間する。
【００９６】
そのため、清掃部材３１Ｋが第１位置に位置するときには、ワイパー２０は、帯電ワイヤー１６の導電性に影響しない。
【００９７】
その結果、帯電ワイヤー１６の導電性に影響しない第１位置に清掃部材３１Ｋが位置するときに、現像カートリッジ４０Ｙをドロワ３０に装着することができる。
【００９８】
また、図９Ｂに示すように、清掃部材３１Ｋが第２位置に位置するときには、クリップ１８Ｂが閉じることにより、ワイパー２０は、帯電ワイヤー１６に接触して、帯電ワイヤー１６を拭くことができる。
【００９９】
また、図１４に示すように、第２の仕様のドロワ３０に対して現像カートリッジ４０Ｙが装着された場合、現像カートリッジ４０Ｙの第２突起５２が、溝１４Ｙの第２凹部３３に位置し、現像カートリッジ４０Ｙがドロワ３０に装着される。
【０１００】
一方、図１６に示すように、第１の仕様のドロワ３に対して現像カートリッジ４０Ｙが装着された場合、現像カートリッジ４０Ｙの第２突起５２が、溝１４Ｙの第１面Ｓ１に接触し、ドロワ３に対する現像カートリッジ４０Ｙの装着を規制する。
【０１０１】
これにより、第１の仕様のドロワ３に対する現像カートリッジ４０Ｙの装着を規制できる。
【０１０２】
また、図１１に示すように、ギアカバー２４は、第２突起５２を有する。
【０１０３】
そのため、図１６に示すように、ギアカバー２４を用いて、第１の仕様のドロワ３に対する現像カートリッジ４０Ｙの装着を規制できる。
【０１０４】
１０．変形例
上記した実施形態では、可動部材の一例として、清掃部材を用いているが、可動部材は、感光体ドラムに対して軸方向に移動可能であれば、清掃部材でなくてもよい。
【符号の説明】
【０１０５】
１      画像形成装置
３０    ドロワ
４Ｙ    現像カートリッジ
４０Ｙ  現像カートリッジ
８Ｋ    感光体ドラム
１６    帯電ワイヤー
１８    把持部
２１    筐体
２２    現像ローラ
２２Ａ  現像ローラシャフト
２４    ギアカバー
２５    現像ローラギア
２６    カップリングギア
２８    カップリング部
３１Ｋ  清掃部材
３２    第１突起
３３    第２凹部
５１    第１凹部
５２    第２突起
Ａ１    第１ドラム軸
Ａ２０  第２軸
【図１】
2017116852.tif 000003
【図２】
2017116852.tif 000004
【図３】
2017116852.tif 000005
【図４】
2017116852.tif 000006
【図５】
2017116852.tif 000007
【図６】
2017116852.tif 000008
【図７】
2017116852.tif 000009
【図８】
2017116852.tif 000010
【図９】
2017116852.tif 000011
【図１０】
2017116852.tif 000012
【図１１】
2017116852.tif 000013
【図１２】
2017116852.tif 000014
【図１３】
2017116852.tif 000015
【図１４】
2017116852.tif 000016
【図１５】
2017116852.tif 000017
【図１６】
2017116852.tif 000018